(57)【特許請求の範囲】
【請求項１】
第１の液体を吐出する第１の液体吐出口と、気体を吐出する気体吐出口とを有し、前記第１の液体吐出口から吐出した前記第１の液体と前記気体吐出口から吐出した前記気体とを外部で混合して被処理体に向けて混合流体を噴霧する２流体ノズルにおいて、
前記気体吐出口から気体を旋回させながら吐出する旋回流発生部と、
前記被処理体に噴霧された混合流体の被処理体上での外縁部に第２の液体を供給するための第２の液体吐出口を有し、
前記第２の液体吐出口は、前記被処理体に噴霧された旋回流を伴う混合流体の被処理体上での外縁部に向けて前記第２の液体を吐出するように前記２流体ノズルの中心方向に向けて傾斜していることを特徴とする２流体ノズル。
【請求項２】
前記第１の液体吐出口に接続した第１の液体供給流路と前記第２の液体吐出口に接続した第２の液体供給流路とを別個に設け、前記第１及び第２の液体供給流路に流量調整器をそれぞれ設けたことを特徴とする請求項１に記載の２流体ノズル。
【請求項３】
第１の液体を吐出する第１の液体吐出口と、気体を吐出する気体吐出口とを有する２流体ノズルを用いて、前記第１の液体吐出口から吐出した前記第１の液体と前記気体吐出口から吐出した前記気体とを外部で混合して基板に向けて混合流体を噴霧することで基板の液処理を行う基板液処理装置において、
前記２流体ノズルは、前記気体吐出口から気体を旋回させながら吐出する旋回流発生部と、前記基板に噴霧された混合流体の基板上での外縁部に第２の液体を供給するための第２の液体吐出口を有し、
前記第２の液体吐出口は、前記被処理体に噴霧された旋回流を伴う混合流体の被処理体上での外縁部に向けて前記第２の液体を吐出するように前記２流体ノズルの中心方向に向けて傾斜していることを特徴とする基板液処理装置。
【請求項４】
前記２流体ノズルは、前記第１の液体吐出口に接続した第１の液体供給流路と前記第２の液体吐出口に接続した第２の液体供給流路とを別個に設け、前記第１及び第２の液体供給流路に流量調整器をそれぞれ設けたことを特徴とする請求項３に記載の基板液処理装置。
【請求項５】
前記第２の液体吐出口から前記第２の液体を吐出した後に前記第１の液体吐出口及び気体吐出口から前記第１の液体及び気体を吐出することを特徴とする請求項３又は請求項４に記載の基板液処理装置。
【請求項６】
前記第２の液体を前記混合流体の流れを乱さない流速で吐出することを特徴とする請求項３〜請求項５のいずれかに記載の基板液処理装置。
【請求項７】
第１の液体と気体とを吐出して外部で混合する２流体ノズルを用いて基板に向けて混合流体を噴霧することで基板の液処理を行う基板液処理方法において、
前記気体を旋回させながら吐出させるとともに、前記基板に噴霧された旋回流を伴う混合流体の基板上での外縁部に向けて第２の液体を前記２流体ノズルの中心方向に向けて傾斜させて供給しながら前記基板の液処理を行うことを特徴とする基板液処理方法。
【請求項８】
前記基板に前記第２の液体を吐出した後に前記第１の液体及び気体を吐出して混合流体を噴霧することを特徴とする請求項７に記載の基板液処理方法。
【請求項９】
前記第１の液体と前記第２の液体とをそれぞれ別個に流量調整して吐出することを特徴とする請求項７又は請求項８に記載の基板液処理方法。
【請求項１０】
前記第２の液体を前記混合流体の流れを乱さない流速で吐出することを特徴とする請求項７〜請求項９のいずれかに記載の基板液処理方法。
【請求項１１】
第１の液体と気体とを吐出して外部で混合する２流体ノズルを用いて基板に向けて混合流体を噴霧することで基板の液処理を行うための基板液処理プログラムを記録したコンピュータ読み取り可能な記録媒体において、
前記気体を旋回させながら吐出させるとともに、前記基板に噴霧された旋回流を伴う混合流体の基板上での外縁部に向けて第２の液体を前記２流体ノズルの中心方向に向けて傾斜させて供給しながら前記基板の液処理を行うことを特徴とする基板液処理プログラムを記録したコンピュータ読み取り可能な記録媒体。
【発明の詳細な説明】
【技術分野】
【０００１】
本発明は、吐出した液体と気体とを外部で混合して被処理体（基板）に向けて噴霧する２流体ノズル、及び、同２流体ノズルを有する基板液処理装置、及び、同２流体ノズルを用いた基板液処理方法、並びに、同２流体ノズルを用いた基板液処理プログラムを記録したコンピュータ読み取り可能な記録媒体に関するものである。
【背景技術】
【０００２】
従来より、半導体部品やフラットパネルディスプレイなどを製造する場合には、半導体ウエハや液晶用基板などの基板に対して基板液処理装置を用いて洗浄液で洗浄処理した後に基板を乾燥させる乾燥処理を行っている。
【０００３】
そして、基板液処理装置では、基板の表面に洗浄液を噴霧して基板の表面を良好に洗浄するために、２流体ノズルを用いて基板に洗浄液と噴射ガスとを混合させた混合流体を噴霧して基板の表面を洗浄するようにしている。
【０００４】
この２流体ノズルは、洗浄液を吐出するための液体吐出口と、噴射ガスを吐出するための気体吐出口とを形成し、液体吐出口から吐出した洗浄液と気体吐出口から吐出した噴射ガスとを２流体ノズルの外部で混合し、霧状の混合流体を基板の表面に噴霧するように構成している（たとえば、特許文献１参照。）。
【先行技術文献】
【特許文献】
【０００５】
【特許文献１】特開２００５−２８８３９０号公報
【発明の概要】
【発明が解決しようとする課題】
【０００６】
ところが、上記従来の２流体ノズルでは、基板に霧状の混合流体を噴霧することで基板の表面に洗浄液の液膜が形成されるものの、基板に噴霧される混合流体の外縁部において噴射ガスの吐出圧力が高く、混合流体が噴霧される基板の表面部分の液膜の膜厚が薄くなっていた。
【０００７】
そのため、従来の２流体ノズルを用いた基板の液処理においては、混合流体が噴霧される基板の表面部分において噴射ガスの吐出圧力の作用で基板の表面に形成した回路パターンなどが倒壊する等のダメージを受けてしまうおそれがあった。
【課題を解決するための手段】
【０００８】
そこで、本発明では、第１の液体を吐出する第１の液体吐出口と、気体を吐出する気体吐出口とを有し、前記第１の液体吐出口から吐出した前記第１の液体と前記気体吐出口から吐出した前記気体とを外部で混合して被処理体に向けて混合流体を噴霧する２流体ノズルにおいて、前記気体吐出口から気体を旋回させながら吐出する旋回流発生部と、前記被処理体に噴霧された混合流体の被処理体上での外縁部に第２の液体を供給するための第２の液体吐出口を有し、前記第２の液体吐出口は、前記被処理体に噴霧された旋回流を伴う混合流体の被処理体上での外縁部に向けて前記第２の液体を吐出するように前記２流体ノズルの中心方向に向けて傾斜していることにした。
【００１０】
また、前記第１の液体吐出口に接続した第１の液体供給流路と前記第２の液体吐出口に接続した第２の液体供給流路とを別個に設け、前記第１及び第２の液体供給流路に流量調整器をそれぞれ設けることにした。
【００１１】
また、本発明では、第１の液体を吐出する第１の液体吐出口と、気体を吐出する気体吐出口とを有する２流体ノズルを用いて、前記第１の液体吐出口から吐出した前記第１の液体と前記気体吐出口から吐出した前記気体とを外部で混合して基板に向けて混合流体を噴霧することで基板の液処理を行う基板液処理装置において、前記２流体ノズルは、前記気体吐出口から気体を旋回させながら吐出する旋回流発生部と、前記基板に噴霧された混合流体の基板上での外縁部に第２の液体を供給するための第２の液体吐出口を有し、前記第２の液体吐出口は、前記被処理体に噴霧された旋回流を伴う混合流体の被処理体上での外縁部に向けて前記第２の液体を吐出するように前記２流体ノズルの中心方向に向けて傾斜していることにした。
【００１３】
また、前記２流体ノズルは、前記第１の液体吐出口に接続した第１の液体供給流路と前記第２の液体吐出口に接続した第２の液体供給流路とを別個に設け、前記第１及び第２の液体供給流路に流量調整器をそれぞれ設けることにした。
【００１４】
また、前記第２の液体吐出口から前記第２の液体を吐出した後に前記第１の液体吐出口及び気体吐出口から前記第１の液体及び気体を吐出することにした。
【００１５】
また、前記第２の液体を前記混合流体の流れを乱さない流速で吐出することにした。
【００１６】
また、第１の液体と気体とを吐出して外部で混合する２流体ノズルを用いて基板に向けて混合流体を噴霧することで基板の液処理を行う基板液処理方法において、前記気体を旋回させながら吐出させるとともに、前記基板に噴霧された旋回流を伴う混合流体の基板上での外縁部に向けて第２の液体を前記２流体ノズルの中心方向に向けて傾斜させて供給しながら前記基板の液処理を行うことにした。
【００１８】
また、前記基板に前記第２の液体を吐出した後に前記第１の液体及び気体を吐出して混合流体を噴霧することにした。
【００１９】
また、前記第１の液体と前記第２の液体とをそれぞれ別個に流量調整して吐出することにした。
【００２０】
また、前記第２の液体を前記混合流体の流れを乱さない流速で吐出することにした。
【００２１】
また、本発明では、第１の液体と気体とを吐出して外部で混合する２流体ノズルを用いて基板に向けて混合流体を噴霧することで基板の液処理を行うための基板液処理プログラムを記録したコンピュータ読み取り可能な記録媒体において、前記気体を旋回させながら吐出させるとともに、前記基板に噴霧された旋回流を伴う混合流体の基板上での外縁部に向けて第２の液体を前記２流体ノズルの中心方向に向けて傾斜させて供給しながら前記基板の液処理を行うことにした。
【発明の効果】
【００２２】
本発明では、被処理体（基板）に噴霧された混合流体の被処理体上（基板上）での外縁部に第２の液体を供給することで、被処理体に噴霧された混合流体の被処理体上（基板上）での外縁部において液膜が薄膜化してしまうのを防止して、被処理体の表面が受けるダメージを防止することができる。
【図面の簡単な説明】
【００２３】
【図１】基板液処理装置を示す平面図。
【図２】基板処理室を示す模式図。
【図３】２流体ノズルを示す正面断面図。
【図４】同底面図。
【図５】同Ａ−Ａ断面図。
【図６】基板液処理方法（基板液処理プログラム）を示す説明図。
【図７】基板処理室の動作（基板受取工程）を示す説明図。
【図８】基板処理室の動作（リンス処理工程）を示す説明図。
【図９】基板処理室の動作（第２の液体の供給工程）を示す説明図。
【図１０】基板処理室の動作（混合流体の噴霧工程）を示す説明図。
【図１１】第２の液体の吐出形態を示す説明図。
【図１２】基板処理室の動作（基板受渡工程）を示す説明図。
【発明を実施するための形態】
【００２４】
以下に、本発明に係る２流体ノズル、同２流体ノズルを有する基板液処理装置、及び、同２流体ノズルを用いた基板液処理方法並びに基板液処理プログラムの具体的な構成について図面を参照しながら説明する。
【００２５】
図１に示すように、基板液処理装置１は、前端部に被処理体としての基板２（ここでは、半導体ウエハ。）を複数枚（たとえば、25枚。）まとめてキャリア３で搬入及び搬出するための基板搬入出部４を形成するとともに、基板搬入出部４の後部にキャリア３に収容された基板２を搬送するための基板搬送部５を形成し、基板搬送部５の後部に基板２の洗浄や乾燥などの各種の処理を施すための基板処理部６を形成している。
【００２６】
基板搬入出部４は、４個のキャリア３を基板搬送部５の前壁７に密着させた状態で左右に間隔をあけて載置できるように構成している。
【００２７】
基板搬送部５は、内部に基板搬送装置８と基板受渡台９とを収容しており、基板搬送装置８を用いて基板搬入出部４に載置されたいずれか１個のキャリア３と基板受渡台９との間で基板２を搬送するように構成している。
【００２８】
基板処理部６は、中央部に基板搬送装置10を収容するとともに、基板搬送装置10の左右両側に基板処理室11〜22を前後に並べて収容している。
【００２９】
そして、基板処理部６は、基板搬送装置10を用いて基板搬送部５の基板受渡台９と各基板処理室11〜22との間で基板２を１枚ずつ搬送するとともに、各基板処理室11〜22を用いて基板２を１枚ずつ処理するようにしている。
【００３０】
各基板処理室11〜22は、同様の構成となっており、代表して基板処理室11の構成について説明する。基板処理室11は、図２に示すように、基板２を水平に保持しながら回転させるための基板保持手段23と、基板保持手段23で保持した基板２の上面に向けて洗浄液を吐出するための洗浄液吐出手段24と、基板保持手段23で保持した基板２の上面に向けてリンス液を吐出するためのリンス液吐出手段25とを有しており、これらの基板保持手段23と洗浄液吐出手段24とリンス液吐出手段25を制御手段26で制御するように構成している。なお、制御手段26は、基板搬送装置8,10など基板液処理装置１の全体を制御するようにしている。
【００３１】
基板保持手段23は、回転軸27の上端部に円板状のテーブル28を水平に取付けるとともに、テーブル28の周縁部に基板２の周縁部と接触して基板２を水平に保持する複数個の基板保持体29を円周方向に間隔をあけて取付けている。回転軸27には、回転駆動機構30を接続しており、回転駆動機構30によって回転軸27及びテーブル28を回転させ、テーブル28に基板保持体29で保持した基板２を回転させるようにしている。この回転駆動機構30は、制御手段26に接続しており、制御手段26で回転制御するようにしている。
【００３２】
また、基板保持手段23の周囲には、上方を開口させたカップ31が昇降自在に設けられ、テーブル28に載置した基板２をカップ31で囲んで洗浄液やリンス液の飛散を防止するとともに、洗浄液やリンス液を回収するようにしている。カップ31には、昇降機構32を接続しており、昇降機構32によってカップ31を基板２に対して相対的に上下に昇降させるようにしている。この昇降機構32は、制御手段26に接続しており、制御手段26で昇降制御するようにしている。
【００３３】
洗浄液吐出手段24は、テーブル28よりも上方にアーム33を水平移動可能に配置し、アーム33の先端部に洗浄液吐出ノズルとして外部混合型の２流体ノズル34を取付けている。アーム33には、移動機構35を接続しており、移動機構35によって２流体ノズル34を基板２の外方の退避位置と基板２の中央部上方の開始位置との間で水平に移動させるようにしている。この移動機構35は、制御手段26に接続しており、制御手段26で移動制御するようにしている。なお、２流体ノズル34は、後述するように、第１の液体としての洗浄液と気体としての噴射ガスとを外部で混合して混合流体として基板２に向けて噴霧するとともに、噴霧した混合流体の外縁部に向けて第２の液体を供給するように構成している。
【００３４】
また、洗浄液吐出手段24は、２流体ノズル34に第１の液体としての洗浄液を供給するための第１の液体供給流路36と、２流体ノズル34に気体としての噴射ガスを供給するための気体供給流路37と、２流体ノズル34に第２の液体を供給するための第２の液体供給流路38とを形成している。
【００３５】
第１の液体供給流路36には、第１の液体（洗浄液）を供給するための第１の液体供給源39を流量調整器40を介して接続しており、流量調整器40によって２流体ノズル34に供給する洗浄液の流量を調整するようにしている。この流量調整器40は、制御手段26に接続しており、制御手段26で開閉制御及び流量制御するようにしている。
【００３６】
気体供給流路37には、気体（噴射ガス）を供給するための気体供給源41を流量調整器42を介して接続しており、流量調整器42によって２流体ノズル34に供給する噴射ガスの流量を調整するようにしている。この流量調整器42は、制御手段26に接続しており、制御手段26で開閉制御及び流量制御するようにしている。
【００３７】
第２の液体供給流路38には、第２の液体を供給するための第２の液体供給源43を流量調整器44を介して接続しており、流量調整器44によって２流体ノズル34に供給する第２の液体の流量を調整するようにしている。この流量調整器44は、制御手段26に接続しており、制御手段26で開閉制御及び流量制御するようにしている。なお、第２の液体は、第１の液体と同一種類の液体でもよく、また、第１の液体とは異なる種類の液体でもよい。第２の液体として第１の液体と同一種類で同一濃度の液体を用いた場合には、第２の液体を供給しても基板２の表面で第１の液体の濃度変化が生じないようにすることができる。第２の液体として第１の液体と異なる種類の液体を用いる場合には、たとえばＳＣ−１と純水の組合せのようにエッチングレートに影響を与えない組合せとすることが好ましい。
【００３８】
２流体ノズル34は、図３〜図５に示すように、第１の液体を吐出するための第１の液体吐出口45として下端面（先端面）の中央部に同一円上に複数個（ここでは、12個）の丸孔を形成している。これらの第１の液体吐出口45は、わずかに２流体ノズル34の外周方向に向けて傾斜させた状態で形成している。また、２流体ノズル34は、第1の液体吐出口45に連通する第1の液体連通路46を内部に形成し、その第１の液体連通路46に第１の液体供給流路36を接続している。これにより、２流体ノズル34は、第１の液体供給流路36から供給される第１の液体を第1の液体吐出口45から基板２に向けて外方へ拡散させながら吐出するようにしている。
【００３９】
また、２流体ノズル34は、気体を吐出するための気体吐出口47として第１の液体吐出口45の外方にスリット状の円環孔を第１の液体吐出口45と同心円上に形成している。また、２流体ノズル34は、気体吐出口47に連通する気体連通路48を内部に形成し、その気体連通路48に気体供給流路37を接続している。気体連通路48には、上流側（上面側）から下流側（下面側）に向けて上面視で右回り（時計回り）に回転しながら傾斜させた複数個（ここでは、１２個）の旋回通路49を形成した旋回流発生部50を介設するとともに、上流側から下流側に向けて２流体ノズル34の内周側に傾斜させた傾斜通路51を形成している。これにより、２流体ノズル34は、気体供給流路37から供給される気体を気体吐出口47から基板２に向けて２流体ノズル34の内周側へ旋回させながら吐出するようにしている。そして、２流体ノズル34は、第１の液体吐出口45から吐出した第１の液体に気体吐出口47から吐出した気体を吹き付けることによって、２流体ノズル34の先端外部（下方）で第１の液体と気体とを混合して第１の液体の液滴が拡散した状態の混合流体52を生成し、その混合流体52を基板２の表面に噴霧するようにしている。
【００４０】
さらに、２流体ノズル34は、第２の液体を吐出するための第２の液体吐出口53として下端面（先端面）の気体吐出口47の外方にスリット状の円環孔を気体吐出口47と同心円上に形成している。この第２の液体吐出口53は、わずかに２流体ノズル34の中心方向に向けて傾斜させた状態で形成している。また、２流体ノズル34は、第２の液体吐出口53に連通する第２の液体連通路54を内部に形成し、その第２の液体連通路54に第２の液体供給流路38を接続している。この第２の液体吐出口53は、基板２に噴霧した混合流体52の基板表面上での外縁部55（外周部）又はその外縁部55よりも内側に向けて第２の液体が供給されるように２流体ノズル34の中心方向に向けて傾斜させている。これにより、２流体ノズル34は、第２の液体供給流路38から供給される第２の液体を第２の液体吐出口53から基板２の表面に噴霧された混合流体52の基板表面上での外縁部55又はその内側に向けて供給するようにしている。なお、２流体ノズル34は、図４（ｂ）に示すように、２流体ノズル34の下端面（先端面）の気体吐出口47の外方に気体吐出口47と同心円上に配置した複数個（ここでは、２４個）の丸孔で第２の液体吐出口53'を形成してもよい。また、２流体ノズル34は、第1の液体吐出口45及び気体吐出口47と一体的に第２の液体吐出口53,53'を形成した場合に限られず、既存の２流体ノズルに第２の液体吐出口を別体で取付けた構成としてもよい。さらに、２流体ノズル34は、第１の液体供給流路36及び流量調整器40と第２の液体供給流路38及び流量調整器44とを別個に設けて、第１及び第２の液体として異なる種類の液体を使用でき、それぞれ独立して流量や吐出タイミングなどを調整できるようにしているが、これらを一体的に設けて構成を簡素化させることもできる。
【００４１】
リンス液吐出手段25は、図２に示すように、テーブル28よりも上方にアーム56を水平移動可能に配置し、アーム56の先端部にリンス液吐出ノズル57を取付けている。アーム56には、移動機構58を接続しており、移動機構58によってリンス液吐出ノズル57を基板２の外方の退避位置と基板２の中央直上方の開始位置との間で移動させるようにしている。この移動機構58は、制御手段26に接続しており、制御手段26で移動制御するようにしている。
【００４２】
また、リンス液吐出手段25は、リンス液を供給するためのリンス液供給源59にリンス液吐出ノズル57を流量調整器60とリンス液供給流路61を介して接続しており、流量調整器60によってリンス液吐出ノズル57に供給するリンス液の流量を調整するようにしている。この流量調整器60は、制御手段26に接続しており、制御手段26で開閉制御及び流量制御するようにしている。
【００４３】
基板液処理装置１は、以上に説明したように構成しており、制御手段26（コンピュータ）で読み取り可能な記録媒体62に記録した基板液処理プログラムにしたがって各基板処理室11〜22で基板２を処理するようにしている。なお、記録媒体62は、基板液処理プログラム等の各種プログラムを記録できる媒体であればよく、ＲＯＭやＲＡＭなどの半導体メモリ型の記録媒体であってもハードディスクやＣＤ−ＲＯＭなどのディスク型の記録媒体であってもよい。
【００４４】
上記基板液処理装置１では、基板液処理プログラムによって図６に示す工程に従って以下に説明するようにして基板２の処理を行うようにしている。
【００４５】
まず、基板液処理プログラムは、図６に示すように、基板搬送装置10から基板２を各基板処理室11〜22の基板保持手段23で受取る基板受取工程を実行する。
【００４６】
この基板受取工程において基板液処理プログラムは、図７に示すように、基板処理室11において、制御手段26によって基板保持手段23の昇降機構32を制御してカップ31を所定位置まで降下させ、その後、基板搬送装置10から基板２を受け取り、基板２を基板保持体29で支持し、その後、制御手段26によって基板保持手段23の昇降機構32を制御してカップ31を所定位置まで上昇させる。
【００４７】
次に、基板液処理プログラムは、図６に示すように、基板受取工程で受取った基板２に対して各種の処理液を用いて液処理する液処理工程を実行する。
【００４８】
次に、基板液処理プログラムは、図６に示すように、液処理工程で液処理した基板２に対してリンス液でリンス処理するリンス処理工程を実行する。
【００４９】
このリンス処理工程において基板液処理プログラムは、図８に示すように、基板処理室11において、制御手段26によって回転駆動機構30を制御して基板保持手段23のテーブル28及びテーブル28の基板保持体29で保持する基板２を所定回転速度で回転させ、制御手段26によって移動機構58を制御してリンス液吐出手段25のリンス液吐出ノズル57を基板２の中央部上方の開始位置に移動させ、制御手段26によって流量調整器60を開放及び流量制御してリンス液供給源59から供給されるリンス液をリンス液吐出ノズル57から基板２の上面に向けて一定時間吐出させ、その後、制御手段26によって流量調整器60を閉塞制御してリンス液吐出ノズル57からのリンス液の吐出を停止し、制御手段26によって移動機構58を制御してリンス液吐出手段25のリンス液吐出ノズル57を基板２の外周外方の退避位置に移動させる。
【００５０】
次に、基板液処理プログラムは、図６に示すように、リンス処理工程でリンス処理した基板２に対して洗浄液で洗浄処理する洗浄処理工程を実行する。この洗浄処理工程では、先に２流体ノズル34から第２の液体だけを供給する第２の液体の供給工程を実行し、その後、引き続き第２の液体を供給しながら２流体ノズル34から第１の液体と気体とを吐出して外部で混合することで混合流体を噴霧する混合流体の噴霧工程を実行する。
【００５１】
第２の液体の供給工程において基板液処理プログラムは、図９に示すように、基板処理室11において、制御手段26によって回転駆動機構30を制御して基板保持手段23のテーブル28及びテーブル28の基板保持体29で保持する基板２を所定回転速度で回転させるとともに、制御手段26によって移動機構35を制御して洗浄液吐出手段24の２流体ノズル34を基板２の中央部上方の開始位置に移動させ、制御手段26によって流量調整器44を開放及び流量制御して第２の液体供給源43から供給される第２の液体を２流体ノズル34の第２の液体吐出口53から基板２の上面に向けて吐出させる。これにより、リンス液に加えて第２の液体を基板２に供給して基板２の上面に所定膜厚の液膜63を形成する。この時に、液膜63の膜厚は、２流体ノズル34から吐出される混合流体の吐出圧力によって基板２の上面に形成されたパターンが倒壊する等のダメージを受けるほど薄くはなく、基板２の上面のパーティクルに吐出圧力が及ばなくなるほど厚くはないようにする。
【００５２】
その後、混合流体の噴霧工程において基板液処理プログラムは、図１０に示すように、基板処理室11において、制御手段26によって回転駆動機構30を制御して基板保持手段23のテーブル28及びテーブル28の基板保持体29で保持する基板２を所定回転速度で回転させたまま、かつ、制御手段26によって流量調整器44を開放及び流量制御して第２の液体供給源43から供給される第２の液体を２流体ノズル34の第２の液体吐出口53から基板２の上面に向けて吐出させたままの状態で、制御手段26によって流量調整器40,42を開放及び流量制御して第１の液体供給源39及び気体供給源41から供給される第１の液体及び気体を２流体ノズル34の第１の液体吐出口45及び気体吐出口47から基板２の上面に向けて吐出させる。これにより、第１の液体吐出口45から吐出された第１の液体と気体吐出口47から吐出された気体とが２流体ノズル34の先端より下方の外部において混合されて霧状の混合流体となり、混合流体が基板２に噴霧される。その後、基板液処理プログラムは、制御手段26によって移動機構35を制御してアーム33を水平に往復移動させることで２流体ノズル34を基板２の中央部上方と基板２の外周端縁上方との間で往復移動させて基板２の洗浄を行い、その後、制御手段26によって流量調整器40,42,44を閉塞制御して２流体ノズル34からの第１及び第２の液体並びに気体の吐出を停止し、制御手段26によって移動機構35を制御して洗浄液吐出手段24の２流体ノズル34を基板２の外周外方の退避位置に移動させる。
【００５３】
このように、基板液処理プログラムでは、基板２に噴霧された混合流体の基板表面上での外縁部に第２の液体を供給しながら基板２の洗浄処理を行うようにしている。
【００５４】
基板２の上面に形成されたパターンが倒壊する等のダメージを受けないようにするためには、基板２の上面の液膜63が形成されている部分に混合流体を噴霧することが好ましい。しかし、混合流体だけを噴霧した場合には、基板２に噴霧される混合流体の基板表面上での外縁部において気体吐出口47から吐出される気体の吐出圧力の作用によって液膜63の膜厚が薄くなってしまう。そのため、基板液処理プログラムでは、基板２に噴霧された混合流体の外縁部に第２の液体吐出口53から第２の液体を供給することで、基板２に噴霧された混合流体の基板表面上での外縁部において液膜63が薄膜化してしまうのを防止している。特に、基板液処理プログラムでは、第２の液体の供給工程を行った後に混合流体の噴霧工程を行うことで、混合流体が噴霧される基板２の表面にリンス液による液膜に加えて第２の液体を供給して、混合流体が噴霧される前にパターンの倒壊などのダメージを抑制しつつ洗浄効果が得られる膜厚の液膜を形成している。これにより、混合流体の噴霧の開始直後においてもパターンの倒壊などのダメージを受けるほどの液膜の薄膜化を防止できるようにしている。また、基板液処理プログラムでは、第２の液体を混合流体の流れを乱さない流速で吐出することで、混合流体の噴霧による洗浄効果が低減しないようにしている。
【００５５】
この第２の液体の供給は、基板２に噴霧された混合流体の基板表面上での外縁部に到達するように供給されればよく、図１１（ａ）に示すように、第２の液体吐出口53から基板２に噴霧された混合流体の基板表面上での外縁部に向けて第２の液体を直接的に吐出した場合に限られず、図１１（ｂ）に示すように、第２の液体吐出口53から混合流体の基板表面上での外縁部よりも内側に向けて第２の液体を吐出して、気体吐出口47から吐出される気体によって第２の液体を混合流体の基板表面上での外縁部に供給するようにしてもよい。この場合、第２の液体は、旋回流を形成している気体の外縁部に沿って流れ、混合流体の基板表面上での外縁部に供給される。この時に、第２の液体が気体と衝突することで基板２の表面での気体の圧力が低減して、より一層液膜63の薄膜化が防止され、パターンの倒壊などのダメージの発生が抑制される。
【００５６】
この洗浄処理工程において基板液処理プログラムは、制御手段26によって第１及び第２の液体供給流路36,38の流量調整器40,44や気体供給流路37の流量調整器42をそれぞれ別個に制御するようにしている。これにより、第１及び第２の液体として異なる種類の液体を使用することができるとともに、流量や吐出タイミングなどをそれぞれ独立して調整することができ、気体の吐出圧力に応じた膜厚の液膜を形成することができる。
【００５７】
次に、基板液処理プログラムは、図６に示すように、洗浄処理工程で洗浄処理した基板２を乾燥処理する乾燥処理工程を実行する。
【００５８】
この乾燥処理工程において基板液処理プログラムは、基板処理室11において、制御手段26によって回転駆動機構30を制御して基板保持手段23のテーブル28及びテーブル28の基板保持体29で保持する基板２をこれまでの液処理（洗浄処理、リンス処理）時よりも高速な回転速度で回転させることによって、遠心力の作用で基板２の上面からリンス液を振り切って基板２を乾燥させるようにしている。
【００５９】
基板液処理プログラムは、最後に、図６に示すように、基板２を各基板処理室11〜22の基板保持手段23から基板搬送装置10に受渡す基板受渡工程を実行する。
【００６０】
この基板受渡工程において基板液処理プログラムは、図１２に示すように、基板処理室11において、制御手段26によって基板保持手段23の昇降機構32を制御してカップ31を所定位置まで降下させ、その後、基板保持体29で支持した基板２を基板搬送装置10に受け渡し、その後、制御手段26によって基板保持手段23の昇降機構32を制御してカップ31を所定位置まで上昇させる。なお、この基板受渡工程は、先の基板受取工程と同時に行うようにすることもできる。
【００６１】
以上に説明したように、上記基板液処理装置１では、基板２（被処理体）に噴霧された混合流体の基板表面上での外縁部に第２の液体を供給しながら基板２の液処理（洗浄）を行うようにしている。
【００６２】
そのため、上記基板液処理装置１における基板液処理においては、基板２に噴霧された混合流体の基板表面上での外縁部に第２の液体吐出口53から第２の液体を供給することで、基板２に噴霧された混合流体の基板表面上での外縁部において液膜63が薄膜化してしまうのを防止することができ、基板２の表面が受けるダメージを防止して良好に基板２の液処理（洗浄）を行うことができる。
【符号の説明】
【００６３】
１  基板液処理装置                      ２  基板
３  キャリア                            ４  基板搬入出部
５  基板搬送部                          ６  基板処理部
７  前壁                                ８  基板搬送装置
９  基板受渡台                          10  基板搬送装置
11〜22  基板処理室                      23  基板保持手段
24  洗浄液吐出手段                      25  リンス液吐出手段
26  制御手段                            27  回転軸
28  テーブル                            29  基板保持体
30  回転駆動機構                        31  カップ
32  昇降機構                            33  アーム
34  ２流体ノズル                        35  移動機構
36  第１の液体供給流路                  37  気体供給流路
38  第２の液体供給流路                  39  第１の液体供給源
40  流量調整器                          41  気体供給源
42  流量調整器                          43  第２の液体供給源
44  流量調整器                          45  第１の液体吐出口
46  第１の液体連通路                    47  気体吐出口
48  気体連通路                          49  旋回通路
50  旋回流発生部                        51  傾斜通路
52  混合流体                            53,53'  第２の液体吐出口
54  第２の液体連通路                    55  外縁部
56  アーム                              57  リンス液吐出ノズル
58  移動機構                            59  リンス液供給源
60  流量調整器                          61  リンス液供給流路
62  記録媒体                            63  液膜
【図１】
0005470306.tif 000002
【図２】
0005470306.tif 000003
【図３】
0005470306.tif 000004
【図４】
0005470306.tif 000005
【図５】
0005470306.tif 000006
【図６】
0005470306.tif 000007
【図７】
0005470306.tif 000008
【図８】
0005470306.tif 000009
【図９】
0005470306.tif 000010
【図１０】
0005470306.tif 000011
【図１１】
0005470306.tif 000012
【図１２】
0005470306.tif 000013